(57)【要約】【課題】  女性の身体消費情報をより高い精度で求めること。【解決手段】  女性用身体消費情報計は、身体消費に係わる身体基礎データを取得する手段、月経からの日数を取得する手段、女性の生理的な身体変化時期を月経からの日数に関連づけて形成した身体変化時期データを予め記憶する手段、女性の生理的な身体変化時期を考慮した身体消費情報を求めるための演算式を身体変化時期別に予め記憶する手段、予め記憶している身体変化時期データから取得した月経からの日数に対応する女性の生理的な身体変化時期を選定する手段、選定した女性の生理的な身体変化時期に該当する予め記憶している演算式に取得した身体情報に係わる身体基礎データを代入して女性の生理的な身体変化時期を考慮した身体消費情報を演算する手段、演算した女性の生理的な身体変化時期を考慮した身体情報を表示する手段を備える。【選択図】          図３
2005058614.tif 000002
【特許請求の範囲】
【請求項１】
身体消費に係わる身体基礎データを取得する身体基礎データ取得手段と、月経からの日数を取得する月経起点経過日数取得手段と、女性の生理的な身体変化時期を月経からの日数に関連づけて形成した身体変化時期データを予め記憶する身体変化時期データ記憶手段と、女性の生理的な身体変化時期を考慮した身体消費情報を求めるための演算式を前記身体変化時期別に予め記憶する身体消費情報演算式記憶手段と、前記身体変化時期データ記憶手段に予め記憶している身体変化時期データから前記月経起点経過日数取得手段にて取得した月経からの日数に対応する女性の生理的な身体変化時期を選定する身体変化時期選定手段と、前記身体変化時期選定手段によって選定した女性の生理的な身体変化時期に該当する前記身体消費情報演算式記憶手段に予め記憶している演算式に前記身体基礎データ取得手段によって取得した身体情報に係わる身体基礎データを代入して女性の生理的な身体変化時期を考慮した身体消費情報を演算する身体消費情報演算手段と、前記身体消費情報演算手段によって演算した女性の生理的な身体変化時期を考慮した身体情報を表示する身体消費情報表示手段とを備えることを特徴とする女性用身体消費情報計。
【請求項２】
身体消費に係わる目標基礎データを取得する目標基礎データ取得手段と、女性の生理的な身体変化時期を考慮した目標情報を求めるための演算式を前記身体変化時期別に予め記憶する目標情報演算式記憶手段と、前記身体変化時期選定手段によって選定した女性の生理的な身体変化時期に該当する前記目標情報演算式記憶手段に予め記憶している演算式に前記目標基礎データ取得手段によって取得した身体消費に係わる目標基礎データを代入して女性の生理的な身体変化時期を考慮した目標情報を演算する目標情報演算手段と、前記目標情報演算手段によって演算した女性の生理的な身体変化時期を考慮した目標情報を表示する目標情報表示手段とを更に備える請求項１に記載の女性用身体消費情報計。
【請求項３】
前記身体消費情報演算手段によって演算した身体消費情報と前記目標情報演算手段によって演算した目標情報とを対比して表示すると共に身体消費に係わるアドバイス情報を表示するアドバイス情報表示手段を更に備える請求項２に記載の女性用身体消費情報計。
【請求項４】
運動量を計測する運動量計測手段を更に備えており、前記身体消費情報演算手段は、前記運動量計測手段によって計測された運動量をも考慮して身体消費情報を演算する請求項１から３までのうちのいずれか１項に記載の女性用身体消費情報計。
【請求項５】
運動開始後の運動時間を計測する運動時間計測手段を更に備えており、前記身体消費情報演算手段は、前記運動時間計測手段によって計測された運動時間をも考慮して身体消費情報を演算する請求項４に記載の女性用身体消費情報計。
【請求項６】
前記運動量は、歩数である請求項４または５に記載の女性用身体消費情報計。
【請求項７】
前記運動時間は、歩行時間である請求項６に記載の女性用身体消費情報計。
【請求項８】
脈拍を計測する脈拍計測手段と、前記脈拍計測手段によって計測される脈拍数に基づいて一定な安全な範囲の脈拍数での歩行運動を促すピッチ誘導音を発生するピッチ誘導音発生手段とを更に備える請求項６に記載の女性用身体消費情報計。
【請求項９】
前記月経起点経過日数取得手段は、前回の月経日と本日の日付を入力する入力部と、前記入力部によって入力した前回の月経日と本日の日付に基づいて、前記前回の月経日から現在の日付までの経過日数を表す月経からの日数を演算する計時部とから成る請求項１から８までのうちのいずれか１項に記載の女性用身体消費情報計。
【請求項１０】
前記身体変化時期は、卵胞期と黄体期とである請求項１から９までのうちのいずれか１項に記載の女性用身体消費情報計。
【請求項１１】
前記身体変化時期は、月経期と、ダイエット期と、排卵前後期と、ＰＭＳ予防期と、ＰＭＳ期とである請求項１から９までのうちのいずれか１項に記載の女性用身体消費情報計。
【請求項１２】
前記身体消費情報は、基礎代謝量、運動消費エネルギー、総消費エネルギー、運動脂肪燃焼量および総脂肪燃焼量のうちの少なくとも１つである請求項１から１１までのうちのいずれか１項に記載の女性用身体消費情報計。
【請求項１３】
前記目標情報は、目標歩数である請求項６から１２までのうちのいずれか１項に記載の女性用身体消費情報計。
【発明の詳細な説明】
【技術分野】
【０００１】
本発明は、女性用身体消費情報計に関するものである。
【背景技術】
【０００２】
基礎代謝量、運動消費エネルギー、総消費エネルギー等の身体消費情報を求める装置として、例えば、運動時の脈拍数から消費カロリー（運動消費エネルギー）を算出する消費カロリー計（特許文献１）や消費カロリー（運動消費エネルギー）から脂肪燃焼量を求める脂肪燃焼量演算装置（特許文献２）等が従来から開示されている。そして、これらの装置は、消費カロリー（運動消費エネルギー）や脂肪総燃焼量を簡単に求めることができるといった優れた利便性を有するものである。
【０００３】
一方において、本発明者の調査、研究によると、女性の身体消費情報は、身体を消費させるための条件（年令、体重等の身体的特徴、運動量）が同じであっても生理的な身体変化に伴って変化することが明らかとなってきた。
【０００４】
【特許文献１】特開平８−５２１１９号公報
【特許文献２】特開２０００−３１６８３３号公報
【発明の開示】
【発明が解決しようとする課題】
【０００５】
しかしながら、前述したような従来の消費カロリー計や脂肪総燃焼量演算装置等は、消費カロリーや脂肪総燃焼量を簡単に求めることができるという点では利便性のあるものではあるが、これら従来の装置は、身体消費における前述したような女性特有の諸条件を考慮したものではなかったので、これらを女性が使用する場合には、必ずしも正確または妥当な身体消費情報を得ることができるものとは言えなかった。
【０００６】
本発明の目的は、女性の生理的な身体変化時期を考慮し、より精度の高い身体消費情報を求めることができるような女性用身体消費情報計を提供することである。
【課題を解決するための手段】
【０００７】
本発明によれば、身体消費に係わる身体基礎データを取得する身体基礎データ取得手段と、月経からの日数を取得する月経起点経過日数取得手段と、女性の生理的な身体変化時期を月経からの日数に関連づけて形成した身体変化時期データを予め記憶する身体変化時期データ記憶手段と、女性の生理的な身体変化時期を考慮した身体消費情報を求めるための演算式を前記身体変化時期別に予め記憶する身体消費情報演算式記憶手段と、前記身体変化時期データ記憶手段に予め記憶している身体変化時期データから前記月経起点経過日数取得手段にて取得した月経からの日数に対応する女性の生理的な身体変化時期を選定する身体変化時期選定手段と、前記身体変化時期選定手段によって選定した女性の生理的な身体変化時期に該当する前記身体消費情報演算式記憶手段に予め記憶している演算式に前記身体基礎データ取得手段によって取得した身体情報に係わる身体基礎データを代入して女性の生理的な身体変化時期を考慮した身体消費情報を演算する身体消費情報演算手段と、前記身体消費情報演算手段によって演算した女性の生理的な身体変化時期を考慮した身体情報を表示する身体消費情報表示手段とを備えることを特徴とする女性用身体消費情報計が提供される。
【０００８】
本発明の一つの実施の形態によれば、前記女性用身体消費情報計は、身体消費に係わる目標基礎データを取得する目標基礎データ取得手段と、女性の生理的な身体変化時期を考慮した目標情報を求めるための演算式を前記身体変化時期別に予め記憶する目標情報演算式記憶手段と、前記身体変化時期選定手段によって選定した女性の生理的な身体変化時期に該当する前記目標情報演算式記憶手段に予め記憶している演算式に前記目標基礎データ取得手段によって取得した身体消費に係わる目標基礎データを代入して女性の生理的な身体変化時期を考慮した目標情報を演算する目標情報演算手段と、前記目標情報演算手段によって演算した女性の生理的な身体変化時期を考慮した目標情報を表示する目標情報表示手段とを更に備える。
【０００９】
本発明の別の実施の形態によれば、前記女性用身体消費情報計は、前記身体消費情報演算手段によって演算した身体消費情報と前記目標情報演算手段によって演算した目標情報とを対比して表示すると共に身体消費に係わるアドバイス情報を表示するアドバイス情報表示手段を更に備える。
【００１０】
本発明のさらに別の実施の形態によれば、前記女性用身体消費情報計は、運動量を計測する運動量計測手段を更に備えており、前記身体消費情報演算手段は、前記運動量計測手段によって計測された運動量をも考慮して身体消費情報を演算する。
【００１１】
本発明のさらに別の実施の形態によれば、前記女性用身体消費情報計は、運動開始後の運動時間を計測する運動時間計測手段を更に備えており、前記身体消費情報演算手段は、前記運動時間計測手段によって計測された運動時間をも考慮して身体消費情報を演算する。
【００１２】
本発明のさらに別の実施の形態によれば、前記運動量は、歩数である。
【００１３】
本発明のさらに別の実施の形態によれば、前記運動時間は、歩行時間である。
【００１４】
本発明のさらに別の実施の形態によれば、前記女性用身体消費情報計は、脈拍を計測する脈拍計測手段と、前記脈拍計測手段によって計測される脈拍数に基づいて一定な安全な範囲の脈拍数での歩行運動を促すピッチ誘導音を発生するピッチ誘導音発生手段とを更に備える。
【００１５】
本発明のさらに別の実施の形態によれば、前記月経起点経過日数取得手段は、前回の月経日と本日の日付を入力する入力部と、前記入力部によって入力した前回の月経日と本日の日付に基づいて、前記前回の月経日から現在の日付までの経過日数を表す月経からの日数を演算する計時部とから成る。
【００１６】
本発明のさらに別の実施の形態によれば、前記身体変化時期は、卵胞期と黄体期とである。
【００１７】
本発明のさらに別の実施の形態によれば、前記身体変化時期は、月経期と、ダイエット期と、排卵前後期と、ＰＭＳ予防期と、ＰＭＳ期とである。
【００１８】
本発明のさらに別の実施の形態によれば、前記身体消費情報は、基礎代謝量、運動消費エネルギー、総消費エネルギー、運動脂肪燃焼量および総脂肪燃焼量のうちの少なくとも１つである。
【００１９】
本発明のさらに別の実施の形態によれば、前記目標情報は、目標歩数である。
【発明の効果】
【００２０】
本発明の女性用身体消費情報計は、女性の生理的な身体変化時期を考慮して身体消費情報を演算するものであるので、女性にとって、より精度の高い身体消費情報を求めることができ、身体消費の管理、延いては健康管理に有用なものとなりうる。
【００２１】
本発明の女性用身体消費情報計は、女性の生理的な身体変化時期を考慮して目標情報を求めることができ、また、目標情報に対するアドバイス情報も与えられるので、より正しい健康管理を続けるのに有用なものとなりうる。
【発明を実施するための最良の形態】
【００２２】
次に、添付図面に基づいて、本発明の実施の形態および実施例について、本発明をより詳細に説明する。
【００２３】
図１は、本発明の一実施例としての女性用身体消費情報計の外観を示す概略図であり、図２は、図１の女性用身体消費情報計の着用形態を例示する図であり、図３は、図１の女性用身体消費情報計の内部構成を外部構成と関連付けて示すブロック図である。図１によく示されるように、この実施例の女性用身体消費情報計は、ケース本体１０と、このケース本体１０に適当な長さのコード１により接続される脈拍計測部を構成する脈拍センサ２０およびピッチ誘導音発生部を構成するイヤホン３０とを備えている。ケース本体１０の外面には、表示部１１と、開始ボタン１２、アップボタン１３、ダウンボタン１４、設定ボタン１５および切替ボタン１６を含む入力部１７とが設けられている。図示していないが、ケース本体１０の裏側には、図２に例示するようにケース本体１０を使用者のベルト２等に装着するためのクリップが設けられており、また、電源部を構成する電池を出し入れるできるようにする電池ぶたが設けられている。図２に例示するように、脈拍センサ２０およびイヤホン３０は、使用に際して使用者の耳たぶ等に装着できる構成とされている。
【００２４】
図３によく示されるように、ケース本体１０の内部には、脈拍センサ、ＡＤ変換部および脈拍演算部を含む脈拍計測部２０と、イヤホンを含むピッチ誘導音発生部３０と、電池を含む電源部３１と、加速度センサ、ＡＤ変換部および歩数演算部を含む歩数計測部３２と、目標情報演算部３３と、身体消費情報演算部３４と、一般情報演算部３５と、記憶部３６と、計時部３７と、制御部３８とが備えられている。
【００２５】
次に、前述した各部の構成および機能について詳述していく。先ず、電源部３１は、電池等により構成され、各電気系統部に電力を供給する。
【００２６】
入力部１７は、前述した開始ボタン１２、アップボタン１３、ダウンボタン１４、設定ボタン１５および切替ボタン１６を駆使することにより、図８に示すような身体基礎データ（現在の身長、現在の体重、現在の年令、現在の脂肪率）、図９に示すような月経基礎データ（本日の日付、前回の月経日、前回の月経周期日数、前回の月経期日数）、図１０に示すような目標基礎データ（目標脂肪率、目標達成予定日）を入力できるようにするものである。なお、表示部１１の表示画面を例示している図８等において、矩形で示すマークは、カーソルを示している。
【００２７】
歩数計測部３２は、公知の歩数計の如く、検出部、ＡＤ変換部、歩数演算部からなり、運動時（活動時）歩数データを計測する。
【００２８】
脈拍計測部２０は、脈拍センサを含むものであり、公知の脈拍計の如く、検出部、ＡＤ変換部、脈拍数演算部からなり、安静時脈拍数データを計測する。
【００２９】
計時部３７は、クロック部、演算部からなり、歩行時間、目標期間の日数、月経からの日数等の時間データを計測する。
【００３０】
記憶部３６は、以下に示すような、目標情報（１日当りの目標歩数）を演算するために係わる（１）〜（９）式、女性の生理的な身体変化時期（卵胞期、黄体期）を考慮した身体消費情報（基礎代謝量、運動消費エネルギー、総消費エネルギー、運動脂肪燃焼量、総脂肪燃焼量）を演算するために係わる（１１）〜（３７）式および（４１）〜（５７）式、これらの演算式で選択して用いる係数を予め記憶する。また、記憶部３６は、図２１に示す表２に示すところの月経から日数と身体変化期間との関係（身体変化期データ）、図１５に示すような目標歩数に実歩数が達成した状況に応じたアドバイス情報、図１６に示すような身体消費の履歴グラフ情報、図１７に示すような月経日及び月経周期日数の履歴情報、図８〜図１０に示すような各種の入力情報、図１１に示すような脈拍計測部で計測した安静時脈拍数の履歴情報、歩数計測部３２で計測した歩数の履歴情報等を、予め記憶したり、使用に際して必要時に記憶したりする。
【００３１】
目標情報演算部３３は、図６に示すような目標情報演算モードにおける流れに沿って、入力部１７、歩数計測部３２および計時部３７からの各種データを、記憶部３６に予め記憶している次の（１）〜（９）式のうちの、（１）〜（７）式に適宜代入して、月経からの身体変化時期に応じて１日当りの目標歩数を演算する。
【００３２】
2005058614.tif 000003
(1)式
目標脂肪減少量〔kg〕＝現在の体重〔kg〕×
現在の脂肪率〔％〕／100−目標脂肪量〔kg〕
(2)式
目標脂肪燃焼エネルギー〔kcal〕＝目標脂肪減少量〔kg〕×7200〔kcal/kg〕    (3)式
１日当りの目標脂肪燃焼エネルギー〔kcal/日〕＝目標脂肪燃焼エネルギー〔kcal〕／
目標期間の日数〔日〕
(4)式
１歩当りの運動消費エネルギー〔kcal/歩〕＝年齢性別係数×体重〔kg〕／100
(5)式
１日当りの目標歩数〔歩/日〕＝１日当りの目標脂肪燃焼エネルギー〔kcal/日〕／
１歩当りの運動消費エネルギー〔kcal/歩〕
(6)式
黄体期の１日当りの目標歩数〔歩/日〕＝１日当りの目標歩数〔歩/日〕×
黄体期補正係数
(7)式
卵胞期（月経期）の１日当りの目標歩数〔歩/日〕＝１日当りの目標歩数〔歩/日〕×
卵胞期（月経期）補正係数
(8)式
卵胞期（月経期以後）の１日当りの目標歩数〔歩/日〕＝１日当りの目標歩数〔歩/日〕＋
１日あたりの目標歩数〔歩/日〕×卵胞期（月経期以後）補正係数×14／
(平均月経周期日数〔日〕−14＋月経期日数〔日〕)            (9)式
【００３３】
身体消費情報演算部３４は、図７に示す身体消費情報演算モードにおける流れに沿って、入力部１７、歩数計測部３２、脈拍計測部２０および計時部３７からの各種データを、記憶部３６に予め記憶している次の（１１）〜（２３）式に適宜代入して、生理的な身体変化時期（卵胞期、黄体期）を考慮した身体消費情報（基礎代謝量、運動消費エネルギー、総消費エネルギー、運動脂肪燃焼量、総脂肪燃焼量）を演算する。
【００３４】
除脂肪量〔kg〕＝体重〔kg〕−体重〔kg〕×脂肪率〔％〕／100                (11)式
基礎代謝量〔kcal/日〕＝係数ａ×除脂肪量2〔kg2〕＋係数ｂ×除脂肪量〔kg〕＋
係数ｃ／年齢（才）＋係数ｄ×体重〔kg〕＋係数ｅ
(12)式
卵胞期の基礎代謝量〔kcal/日〕＝係数ｆ１×基礎代謝量〔kcal/日〕＋係数ｇ１
(13)式
黄体期の基礎代謝量〔kcal/日〕＝係数ｆ２×基礎代謝量〔kcal/日〕＋係数ｇ２
(14)式
運動消費エネルギー〔kcal/日〕＝年齢性別係数×体重〔kg〕×歩数〔歩〕／100
(15)式
卵胞期の運動消費エネルギー〔kcal/日〕＝係数ｈ１×運動消費エネルギー〔kcal/日〕
＋係数ｉ１
(16)式
黄体期の運動消費エネルギー〔kcal/日〕＝係数ｈ２×運動消費エネルギー〔kcal/日〕
＋係数ｉ２
(17)式
卵胞期の総消費エネルギー〔kcal/日〕＝卵胞期の基礎代謝量〔kcal/日〕＋
卵胞期の運動消費エネルギー〔kcal/日〕
(18)式
黄体期の総消費エネルギー〔kcal/日〕＝黄体期の基礎代謝量〔kcal/日〕＋
黄体期の運動消費エネルギー〔kcal/日〕
(19)式
運動強度〔％〕＝係数ｊ×歩数〔歩〕／歩行時間〔分〕＋係数ｋ                (20)式
脂肪燃焼効率〔％〕＝−係数ｍ×運動強度〔％〕−係数ｎ×安静時脈拍数〔拍/分〕＋
係数ｐ×歩行時間〔分〕−係数ｑ×性別係数＋係数ｒ
(21)式
卵胞期又は黄体期の運動脂肪燃焼量〔ｇ〕＝脂肪燃焼効率〔％〕×
卵胞期又は黄体期の運動消費エネルギー〔kcal/日〕／7.2〔kcal/g〕
(22)式
卵胞期又は黄体期の総脂肪燃焼量〔ｇ〕＝運動脂肪燃焼量〔ｇ〕＋
卵胞期又は黄体期の基礎代謝量〔kcal/日〕／7.2〔kcal/g〕
(23)式
【００３５】
一般情報演算部３５は、目標情報演算部３３や身体消費情報演算部３４において演算する各種情報以外の情報（例えば、後述するピッチ誘導音発生部３０において、一定の安全な範囲の脈拍数での歩行運動となるようなピッチ誘導音の発生間隔、図１８に示すような将来の月経開始の予測期間等）を演算する。
【００３６】
ピッチ誘導音発生部３０は、後述する制御部３８からの制御により一定の安全な範囲の脈拍数での歩行運動となるようなピッチ誘導音を発生する。
【００３７】
表示部１１は、図８〜図１０に示すような、入力部１７から入力する際の身体基礎データ、月経基礎データ、目標基礎データの表示、図１１に示すような、脈拍計測部２０により計測する際の安静時脈拍数の表示、図１２に示すような、歩数等計測の前にする月経関連、身体変化時期の情報の表示、図１３に示すような、歩数等計測の前にする目標情報（本日の目標歩数）、健康関連の情報の表示、図１４に示すような、歩数計測部３２により計測する際の歩数、運動消費エネルギー、運動脂肪燃焼量の表示、図１５に示すような、歩数計測部３２での計測開始後における切替ボタン１６の切替操作にてする本日の目標歩数、本日のこれまでの歩数（実歩数）、アドバイスの情報の表示、図１６に示すような、歩数計測部３２での計測開始後における切替ボタン１６の切替操作にてする身体消費（運動脂肪燃焼量）のグラフでの履歴情報の表示、図１７にて示すような、歩数計測部３２での計測開始後における切替ボタン１６の切替操作にてする月経日、月経周期日数の履歴情報の表示、図１８に示すような、歩数計測部３２での計測開始後における切替ボタン１６の切替操作にてする将来（次回、２回先、３回先）の月経開始の予測期間の情報の表示、図１９に示すような、歩数計測部３２での計測開始後における切替ボタン１６の切替操作にてする女性の生理的な身体変化時期（卵胞期、黄体期）を考慮した身体消費情報（基礎代謝量、運動消費エネルギー、総消費エネルギー、運動脂肪燃焼量、総脂肪燃焼量）の表示を行う。
【００３８】
制御部３８は、入力部１７、歩数計測部３２、脈拍計測部２０、計時部３７からの各種データと記憶部３６の各種の演算式とに基づいて、目標情報演算部３３において、月経からの身体変化時期に応じた１日当りの目標歩数を演算させたり、身体消費情報演算部３４において、女性の生理的な身体変化時期（卵胞期、黄体期）を考慮した身体消費情報（基礎代謝量、運動消費エネルギー、総消費エネルギー、運動脂肪燃焼量、総脂肪燃焼量）を演算させたり、一般情報演算部３５において、目標情報演算部３３や身体消費情報演算部３４において演算させる各種情報以外の情報を演算させたりするための制御を行う。また、制御部３８は、ピッチ誘導音発生部３０において誘導音を発生させたり、表示部１１において各種の表示をさせたり、記憶部３６に各種データを記憶させたりするための制御を行う。
【００３９】
次に、前述したような構成を有する女性用身体消費情報計の全体動作について、図４のメインフローチャート、図６および図７のサブルーチンフローチャートを参照しつつ説明する。先ず、図４のメインフローチャートにそって説明するに、使用者は、ケース本体１０の裏側の電池ぶたを取り外して、電池を装入した状態にて、開始ボタン１２を押す。すると、電源部３１から各電気系統部に電力が供給され、その後、ステップＳ１にて、数秒間に設定ボタン１５が押されたかの判定がなされる。
【００４０】
設定ボタン１５が押された場合には、後で詳述する図５の身体情報等基礎データ設定登録モードに進む。一方、設定ボタン１５が押されない場合には、後で詳述する図６の目標情報演算モードに進む。この目標情報演算モードの後、表示部１１の画面は、図１２の表示を一定時間行った後、図１３の表示に切り替わる。
【００４１】
ここで、図１２に例示した表示画面における各表示の内容について説明するに、”Ｍ”は、前回の月経日を示しており、”２５日目”は、月経からの日数を示しており、”２８日”は、前回の月経周期日数を示している。この表示画面中において最上部に示された”太陽マーク”は、月経からの相当する位置に点灯するものである。また、”黄体かつＰＭＳの時期です”は、月経からの日数に相当する身体変化時期を示している。図１３に例示した表示画面における各表示の内容について説明するに、”８０００歩”は、月経からの身体変化時期に応じた１日当りの目標歩数を示しており、”はい”を取り囲む矩形マークは、カーソルを示しており、”肌荒れにはビタミン………ほうれん草、バナナ”は、健康に関する情報を示している。この図１３の表示画面における”走行開始？”は、使用者に歩行を開始するか否かを問うものであり、その下方部に表示される”はい”または”いいえ”と連動しているものである。図１３の表示画面の表示中にアップボタン１３またはダウンボタン１４が押されるごとに、”はい”または”いいえ”の表示に交互に切り替えられるようになっている。
【００４２】
ステップＳ２において、図１３の表示画面中に”はい”が表示されているときに、使用者が設定ボタン１５を押すと、ＹＥＳに進み、”いいえ”が表示されているときに、使用者が設定ボタン１５を押すと、ＮＯに進む。すなわち、図１３の表示画面において、”いいえ”が選択されている際に設定ボタン１５が押されると、スタート後の設定ボタンの判定（ステップＳ１）に戻る。一方、”はい”が選択されている際に設定ボタン１５が押されると、次のピッチ誘導音の発生／歩数・歩行時間の計測のステップＳ３に進む。
【００４３】
このステップＳ３においては、ピッチ誘導音発生部３０により一定の安全な範囲の脈拍数での歩行運動となるようなピッチ誘導音が発生される。使用者である被計測者は、ケース本体１０をベルト等を介して身体に装着すると共に、イヤホンを耳に装入し、ピッチ誘導音発生部３０から発生されるピッチ誘導音に合せて歩行を開始する。歩数計測部３２により歩数の計測が開始され、計時部３７により歩行時間（”はい”を選択確定後の時間）の計測が開始される。
【００４４】
次いで、後で詳述する図７の身体消費情報演算モードに進み、身体消費情報演算部３４において、女性の生理的な身体変化時期（卵胞期、黄体期）を考慮した身体消費情報（基礎代謝量、運動消費エネルギー、総消費エネルギー、運動脂肪燃焼量、総脂肪燃焼量）を演算する。
【００４５】
次いで、表示部１１の画面には、図１４に示すような、身体消費情報等が表示される。図１４の表示画面には、歩数・歩行時間のサンプリング毎の演算結果（歩数、運動消費カロリー、運動脂肪燃焼量）が表示される。この表示画面における各表示は次のような内容を表している。上段の”ＡＡＡＡ歩”は、本日のこれまでの歩数を示す。中段の”ＹＹＹＹkcal”は、本日のこれまでの運動消費カロリーを示す。下段の”ＢＢＢｇ”は、本日のこれまでの運動脂肪燃焼量を示す。そして、この画面の各種数値は、歩数・歩行時間の計測ステップＳ３においてのサンプリング毎に更新される。なお、次のステップＳ４において切替ボタン１６が押される毎に、ステップＳ５の表示情報の切替ステップにおいて、図１４→図１５→図１６→図１７→図１８→図１９→図１４と表示画面が順に切り替わる。
【００４６】
この身体消費情報等の表示の際に、ステップＳ４において、切替ボタン１６が押されない場合には、ピッチ誘導音の発生／歩数・歩行時間の計測のステップＳ３に戻り、歩数、歩行時間がサンプリングされる。一方、前述したように、切替ボタン１６が押された場合には、表示部１１の画面の表示情報が図１４から図１５へといったように切り替わって表示される。以降、切替ボタン１６が押される毎に、表示が切り替わる。なお、図１９の表示画面の身体消費情報（基礎代謝量、運動消費エネルギー、総消費エネルギー、運動脂肪燃焼量、総脂肪燃焼量）の数値は、歩数・歩行時間の計測ステップＳ３においてのサンプリング毎に更新される。
【００４７】
ここで、図１５の表示画面における各表示内容について説明しておくに、”ＴＴＴＴ歩”は、月経からの身体変化区分時期に応じた１日当りの目標歩数を示し、”ＡＡＡＡ歩”は、本日のこれまでの歩数を示し、”本日は、………ましょう！”は、アドバイス情報を示している。図１６の表示画面において、”棒グラフ”は、横軸を期間、縦軸を運動脂肪燃焼量とする履歴を示すグラフであり、”Ｍ”、”２５日目”、”２８日”、”太陽マーク”は、図１２の表示画面について説明したのと同様である。図１７の表示画面において、”Ｍの列”は、過去の月経日を示し、”CYCLEの列”は、過去の月経周期日数を示す。図１８の表示画面において、”１０．２〜１０．１０”は、次回の月経開始の予測期間を示し、”１０．３０〜１１．５”は、２回先の月経開始の予測期間を示し、”１１．２９〜１２．５”は、３回先の月経開始の予測期間を示す。図１９の表示画面において、１段目の”ＺＺＺＺkcal”は、本日の基礎代謝量を示し、２段目の”ＹＹＹＹkcal”は、本日のこれまでの運動消費エネルギーを示し、３段目の”ＸＸＸＸkcal”は、本日のこれまでの総消費カロリーを示し、４段目の”ＷＷＷｇ”は、本日のこれまでの運動脂肪燃焼量を示し、５段目の”ＵＵＵｇ”は、本日のこれまでの総脂肪燃焼量を示す。
【００４８】
次に、図５の身体情報等基礎データ設定登録モードのサブルーチンフローチャートについて説明する。この身体情報等基礎データ設定登録モードに入ると、先ず、ステップＳ１１において、表示部１１の画面には、図８に示す身体基礎データを入力するための表示がなされる。そして、被計測者の該当する数値をカーソルの案内（移動）に従って、入力し、カーソルが「確定」文字の箇所に位置したところで設定ボタン１５が押されると、ステップＳ１２にて、この画面の設定項目が記憶部３６に登録される。この操作についてより詳細に説明すると、図８の画面において、体重、年令、脂肪率の数値をカーソルの移動に伴って入力し、確定（記憶）をさせていくのであるが、この際に、アップボタン１３またはダウンボタン１４が押される毎に、カーソル内の数値が切替り、設定ボタン１５が押されるとカーソル内の数値が設定され、次の数値に進む。また、「確定」文字位置のところで設定ボタン１５を押すと、この画面の設定内容が記憶部３６に登録される。このような数値の設定と登録の操作方法については、以降の図９、図１０の画面でも同様である。
【００４９】
次に、ステップＳ１３において、表示部１１の画面には、図９に示す月経基礎データを入力するための表示がなされる。そして、ステップＳ１４にて、図９の画面において、本日の日付、前回の月経日、前回の月経周期日数、前回の月経期日数の数値をカーソルの移動に伴って入力し、確定（記憶）する。さらに続いて、ステップＳ１５において、表示部１１の画面には、図１０に示す目標基礎データを入力するための表示がなされる。そして、ステップＳ１６にて、図１０の画面において、目標脂肪率、目標達成予定日の数値をカーソルの移動に伴って入力し、確定（記憶）する。
【００５０】
次に、ステップＳ１７において、表示部１１の画面には、図１１に示す安静時脈拍数を計測するための表示がなされる。なお、この安静時脈拍数の計測の際には、被計測者は、前述したように、脈拍センサを図２に例示した如く耳たぶに挟んで装着する。この画面では、アップボタン１３またはダウンボタン１４が押されるごとに、カーソル部分の文字が、「計測する」または「計測しない」の表示に交互に切替る。「計測する」が選択されている際に設定ボタン１５が押されると安静時脈拍数の計測が開始され、サンプリング毎の安静時脈拍数が「ＸＸＸ」に表示される。そして、予め決められている一定時間を経過すると自動的に計測を終了し、「確定」文字の箇所にカーソルが移動する。ここで、ステップＳ１８にて、設定ボタン１５が押されると、この計測した安静時脈拍数の数値が記憶部３６に登録され、この身体情報等基礎データ設定登録モードが終了する。また、「計測しない」のときに設定ボタン１５が押されると計測しないで「確定」にカーソルが進む。
【００５１】
次に、図６の目標情報演算モードのサブルーチンフローチャートについて説明する。この目標情報演算モードに入ると、まず、ステップＳ２１にて、目標情報演算部３３において、身体情報等基礎データ設定登録モードにおいて入力部１７から入力された目標脂肪率、現在の体重、現在の体脂肪率を、記憶部３６に予め記憶している前記（１）式に代入し、目標脂肪量を演算する。
【００５２】
以降、ステップＳ２２からステップＳ２７を通して、目標情報演算部３３において、入力部１７から入力したデータ（現在の体重、現在の体脂肪率）、計時部３７で計測したデータ（前記（４）式を用いる前のステップにおいて、入力部１７から入力した本日の日付と目標達成予定日に基づいて演算した目標期間の日数）、予め記憶部３６に記憶している係数（図２０の表１から女性、入力部１７から入力した年令に基づいて選定）、先に演算したデータを、記憶部３６に予め記憶している前記（２）〜（６）式に同様に代入していき、１日当りの目標歩数を演算する。これをより詳細に説明するに、ステップＳ２２において、前記（２）式を用いて、目標減少脂肪量を演算し、ステップＳ２３において、前記（３）式を用いて、目標脂肪燃焼エネルギーを演算し、ステップＳ２４において、本日の日付から目標達成予定日までの日数をカウントし、目標期間の日数を求め、ステップＳ２５において、前記（４）式を用いて１日当りの目標脂肪燃焼エネルギーを演算し、ステップＳ２６において、前記（５）式を用いて１歩当りの消費エネルギーを演算し、ステップＳ２７において、前記（６）式を用いて、１日当りの目標歩数を演算する。
【００５３】
次いで、ステップＳ２８にて、計時部３７において、入力部１７から入力した前回の月経日と現在の日付までの日数をカウントし、月経からの日数を求め、図２１の表２からこの月経からの日数に該当する身体変化時期を選定する。また、目標情報演算部３３において、記憶部３６に記憶する月経周期日数の履歴を平均し、平均月経周期日数を求める。
【００５４】
それから、ステップＳ２９において、選定した身体変化区分時期と平均月経周期日数とに適応する前記（７）から（９）式の中のいずれかに、先に演算したテーマ（１日当りの目標歩数、平均月経周期日数）、記憶部で予め記憶している係数（卵胞期（月経期）補正係数、黄体期補正係数、卵胞期（月経期以後）補正係数）、入力部から入力した月経期日数（前回の月経期日数）を代入して、月経からの身体変化時期（黄体期、卵胞期（月経期）、卵胞期（月経期以降））に応じた１日当りの目標歩数を演算する。
【００５５】
次に、図７の身体消費情報演算モードのサブルーチンフローチャートについて説明する。この身体消費情報演算モードに入ると、先ず、ステップＳ３１にて、制御部３８において、先の目標情報演算モードにおいて選定した月経からの日数に対応する身体変化区分時期に適応する前記（１３）式または（１４）式のいずれかを記憶部３６から選択する。次いで、ステップＳ３２にて、身体消費情報演算部３４において、入力部１７から入力したデータ（現在の体重、現在の体脂肪率、年令）や先に演算したデータを、記憶部３６に予め記憶している前記（１１）式、（１２）式に代入して、除脂肪量、基礎代謝量を演算し、更に、先に選定した前記（１３）式または（１４）式のいずれかに代入して、月経からの日数に対応する身体変化時期（黄体期または卵胞期）に応じた基礎代謝量を演算する。
【００５６】
以降、ステップＳ３３からステップＳ３７を通して、身体消費情報演算部３４において、先に演算したデータ、入力部１７、歩数計測部３２、脈拍計測部２０、計時部３７、記憶部３６からの各種データを、記憶部３６に予め記憶している前記（１５）から（２３）式に同様に代入していき、月経からの日数に対応する身体変化時期、すなわち、女性の生理的な身体変化時期を考慮した身体消費情報（卵胞期または黄体期の運動消費エネルギー、卵胞期または黄体期の総消費エネルギー、卵胞期または黄体期の運動脂肪燃焼量、卵胞期または黄体期の総脂肪燃焼量）を演算する。これをより詳細に説明するに、ステップＳ３３において、先の目標情報演算モードで選定した身体変化時期に応じた運動消費エネルギー演算式を前記（１６）式または（１７）式から選定し、ステップＳ３４において、前記（１５）式を用いて運動消費エネルギーを演算し、先に選定した前記（１６）式または（１７）式を用いて身体変化時期に応じた運動消費エネルギーを演算し、ステップＳ３５において、前記（１８）式または（１９）式を用いて身体変化時期に応じた総消費エネルギーを演算し、ステップＳ３６において、前記（２０）式、（２１）式、（２２）式を用いて、身体変化時期に応じた運動脂肪燃焼量を演算し、ステップＳ３７において、前記（２３）式を用いて身体変化時期に応じた総脂肪燃焼量を演算する。
【００５７】
なお、前記（１５）式の年令性別係数は、図２０の表１から女性、入力部１７から入力した年令に基づいて選定し、前記（２１）式の性別係数は、女性の係数である「０」とする。また、係数ａ〜ｒは、具体的な数値を示していないが、各式を作る際に回帰分析により求められた定数である。そして、これら係数ａ〜ｒのうち係数ｆ１、ｆ２、ｇ１、ｇ２、ｈ１、ｈ２、ｉ１、ｉ２については、係数ｆ１<係数ｆ２、係数ｇ１<係数ｇ２、係数ｈ１<係数ｈ２、係数ｉ１<係数ｉ２の大小関係となっている（すなわち、黄体期の身体消費情報の演算結果の方が値が卵胞期の身体消費情報の演算結果よりも大きくなる）。
【００５８】
以上本発明の一実施例について説明したのであるが、本発明は、このような実施例に限られるものではない。例えば、前述の身体消費情報演算モードにおいては、女性の生理的な身体変化時期を考慮した身体消費情報として、卵胞期または黄体期の運動消費エネルギー、卵胞期または黄体期の総消費エネルギー、卵胞期または黄体期の運動脂肪燃焼量、および卵胞期または黄体期の総脂肪燃焼量を求めたが、これらのうちの１つ以上を求めるものであれば本発明の実施となる。
【００５９】
また、女性の生理的な身体変化時期を考慮していない基礎代謝量を演算するのに前記（１２）式を用いたが、記憶部３６に、次の（３１）式〜（３７）式のいずれかを予め記憶しておいて、その（３１）式〜（３７）式のいずれかを用いても実施可能である。
【００６０】
基礎代謝量〔kcal/日〕＝係数Ａ×除脂肪量〔kg〕＋係数Ｂ／年齢〔才〕＋係数Ｃ
(31)式
基礎代謝量〔kcal/日〕＝係数Ｄ×除脂肪量〔kg〕＋係数Ｅ／年齢〔才〕
＋係数Ｆ×体重〔kg〕＋係数Ｇ        (32)式
基礎代謝量〔kcal/日〕＝係数Ｈ×除脂肪量2〔kg2〕＋係数Ｉ×除脂肪量〔kg〕
＋係数Ｊ／年齢〔才〕＋係数Ｋ          (33)式
基礎代謝量〔kcal/日〕＝係数Ｌ×除脂肪量〔kg〕＋係数Ｍ                    (34)式
基礎代謝量〔kcal/日〕＝年齢性別係数×
（体重0.444〔kg〕×身長0.663〔cm〕×88.83）
(35)式
基礎代謝量〔kcal/日〕＝性別年齢階層別基礎代謝基準値〔kcal/kg/日〕×体重〔kg〕
(36)式
基礎代謝量〔kcal/日〕＝年代係数×体重〔kg〕＋係数Ｎ                      (37)式
【００６１】
更に、卵胞期または黄体期についての身体消費情報（運動消費エネルギー、総消費エネルギー、運動脂肪燃焼量、総脂肪燃焼量）を演算するのに前記（１３）式、（１４）式、（１６）〜（１９）式、（２２）式、（２３）式を用いたが、記憶部３６に、次の（４１）〜（５７）式を予め記憶しておいて、月経期、ダイエット期、排卵前後期、ＰＭＳ（Premenstrural  Syndrome：月経前緊張症）予防期またはＰＭＳ期についての身体消費情報（運動消費エネルギー、総消費エネルギー、運動脂肪燃焼量、総脂肪燃焼量）を、その（４１）〜（５７）式を用いて演算しても実施可能である。
【００６２】
月経期の基礎代謝量〔kcal/日〕＝係数ｆ３×基礎代謝量〔kcal/日〕＋係数ｇ３
(41)式
ダイエット期の基礎代謝量〔kcal/日〕＝係数ｆ４×基礎代謝量〔kcal/日〕＋係数ｇ４
(42)式
排卵前後期の基礎代謝量〔kcal/日〕＝係数ｆ５×基礎代謝量〔kcal/日〕＋係数ｇ５
(43)式
ＰＭＳ予防期の基礎代謝量〔kcal/日〕＝係数ｆ６×基礎代謝量〔kcal/日〕＋係数ｇ６
(44)式
ＰＭＳ期の基礎代謝量〔kcal/日〕＝係数ｆ７×基礎代謝量〔kcal/日〕＋係数ｇ７
(45)式
月経期の運動消費エネルギー〔kcal/日〕＝係数ｈ３×運動消費エネルギー〔kcal/日〕
＋係数ｉ３      (46)式
ダイエット期の運動消費エネルギー〔kcal/日〕＝係数ｈ４×
運動消費エネルギー〔kcal/日〕＋係数ｉ４
(47)式
排卵前後期の運動消費エネルギー〔kcal/日〕＝係数ｈ５×
運動消費エネルギー〔kcal/日〕＋係数ｉ５
(48)式
ＰＭＳ予防期の運動消費エネルギー〔kcal/日〕＝係数ｈ６×
運動消費エネルギー〔kcal/日〕＋係数ｉ６
(49)式
ＰＭＳ期の運動消費エネルギー〔kcal/日〕＝係数ｈ７×
運動消費エネルギー〔kcal/日〕＋係数ｉ７
(50)式
月経期の総消費エネルギー〔kcal/日〕＝月経期の基礎代謝量〔kcal/日〕＋
月経期の運動消費エネルギー〔kcal/日〕
(51)式
ダイエット期の総消費エネルギー〔kcal/日〕＝ダイエット期の基礎代謝量〔kcal/日〕
＋ダイエット期の運動消費エネルギー〔kcal/日〕
(52)式
排卵前後期の総消費エネルギー〔kcal/日〕＝排卵前後期の基礎代謝量〔kcal/日〕＋
排卵前後期の運動消費エネルギー〔kcal/日〕
(53)式
ＰＭＳ予防期の総消費エネルギー〔kcal/日〕＝ＰＭＳ予防期の基礎代謝量〔kcal/日〕
＋ＰＭＳ予防期の運動消費エネルギー〔kcal/日〕
(54)式
ＰＭＳ期の総消費エネルギー〔kcal/日〕＝ＰＭＳ期の基礎代謝量〔kcal/日〕＋
ＰＭＳ期の運動消費エネルギー〔kcal/日〕
(55)式
月経期、ダイエット期、排卵前後期、ＰＭＳ予防期又はＰＭＳ期の運動脂肪燃焼量〔ｇ〕＝脂肪燃焼効率 〔％〕×月経期、ダイエット期、排卵前後期、ＰＭＳ予防期又はＰＭＳ期の運動消費エネルギー〔kcal/日〕／7.2〔kcal/g〕                        (56)式
月経期、ダイエット期、排卵前後期、ＰＭＳ予防期又はＰＭＳ期の総脂肪燃焼量〔ｇ〕＝運動脂肪燃焼量〔ｇ〕＋月経期、ダイエット期、排卵前後期、ＰＭＳ予防期又はＰＭＳ期の基礎代謝量〔kcal/日〕／7.2〔kcal/g〕                                  (57)式
【００６３】
更に、運動消費エネルギーを演算するのに前記（１５）式を用いたが、記憶部３６に、次の（６１）式、（６２）式と、１歩当りの時間とカロリー定数との関係を示す図２２の表３とを予め記憶しておいて、（６１）式を用いて１歩当りの時間を演算し、図２２の表３を用いてこの１歩当りの時間に対応するカロリー定数を求め、（６２）式を用いて運動消費エネルギーを演算しても実施可能である。
【００６４】
一歩あたりの時間〔ms/歩〕＝歩行時間〔ms〕／歩数〔歩〕                  (61)式
運動消費エネルギー〔kcal/日〕＝カロリー定数×体重〔kg〕×歩数〔歩〕    (62)式
【００６５】
更に、卵胞期または黄体期についての運動消費エネルギーを演算するのに前記（１６）式または（１７）式を用いたが、記憶部３６に、次の（６３）から（６５）式のいずれかを予め記憶しておいて、その（６３）〜（６５）式のいずれかを用いて卵胞期または黄体期についての運動消費エネルギーを演算しても実施可能である。そして、これらの（６３）式〜（６５）式において、卵胞期または黄体期の基礎代謝量に代え、月経期、ダイエット期、排卵前後期、ＰＭＳ予防期またはＰＭＳ期の基礎代謝量として、月経期、ダイエット期、排卵前後期、ＰＭＳ予防期またはＰＭＳ期についての運動消費エネルギーを演算しても実施可能である。
【００６６】
卵胞期又は黄体期の
運動消費エネルギー〔kcal/日〕＝(0.0140×除脂肪量〔kg〕／身長2〔cm2〕−
0.0012×脂肪率〔％〕−0.1254)×（運動時脈拍数〔拍/分〕−安静時脈拍数〔拍/分〕)
＋卵胞期又は黄体期の基礎代謝量〔kcal/日〕／1440＋0.1812
(63)式
卵胞期又は黄体期の
運動消費エネルギー〔kcal/日〕＝0.0051×
（運動時脈拍数〔拍/分〕−安静時脈拍数〔拍/分〕＋15.5)×
卵胞期又は黄体期の基礎代謝量〔kcal/日〕／1440
(64)式
卵胞期又は黄体期の
運動消費エネルギー〔kcal/日〕＝0.075×
（運動時脈拍数〔拍/分〕−安静時脈拍数〔拍/分〕＋15.5)×
卵胞期又は黄体期の基礎代謝量〔kcal/日〕／1440＋0.0853
(65)式
【００６７】
更に、卵胞期または黄体期についての運動脂肪燃焼量を演算するのに、前記（２１）式で演算した脂肪燃焼効率を代入したが、歩行時の一般的な脂肪燃焼効率とされている一定の値（３０％、４０％等）を代入しても実施可能である。
【００６８】
更に、運動強度を演算するのに、前記（２０）式を用いたが、記憶部３６に、次の（６６）式を予め記憶しておいて、その（６６）式を用いても実施可能である。
【００６９】
運動強度〔％〕＝運動時脈拍数〔拍/分〕×100／
（220−年齢〔才〕−安静時脈拍数〔拍/分〕）
(66)式
【００７０】
また、上述した一実施例においては、入力部（各種ボタン）から数値を入力して身体基礎データを取得するものであったが、身体基礎データを測定する測定部を備え、この測定部から測定して身体基礎データを取得するものでもよい。
【産業上の利用可能性】
【００７１】
本発明の女性用身体消費情報計は、女性の生理的な身体変化時期を考慮して身体消費情報を演算するものであるので、女性にとって、より精度の高い身体消費情報を求めることができ、身体消費の管理、延いては健康管理に有用なものとなりうる。
【００７２】
本発明の女性用身体消費情報計は、女性の生理的な身体変化時期を考慮して目標情報を求めることができ、また、目標情報に対するアドバイス情報も与えられるので、より正しい健康管理を続けるのに有用なものとなりうる。
【図面の簡単な説明】
【００７３】
【図１】本発明の一実施例としての女性用身体消費情報計の外観を示す概略図である。
【図２】図１の女性用身体消費情報計の着用形態を例示する図である。
【図３】図１の女性用身体消費情報計の内部構成を外部構成と関連付けて示すブロック図である。
【図４】図１の女性用身体消費情報計の全体動作を説明するためのメインフローチャートを示す図である。
【図５】図１の女性用身体消費情報計の身体情報等基礎データ設定登録モードを説明するためのサブルーチンフローチャートを示す図である。
【図６】図１の女性用身体消費情報計の目標情報演算モードを説明するためのサブルーチンフローチャートを示す図である。
【図７】図１の女性用身体消費情報計の身体消費情報演算モードを説明するためのサブルーチンフローチャートを示す図である。
【図８】身体基礎データを入力するための表示画面を例示する図である。
【図９】月経基礎データを入力するための表示画面を例示する図である。
【図１０】目標基礎データを入力するための表示画面を例示する図である。
【図１１】安静時脈拍数を計測するための表示画面を例示する図である。
【図１２】歩数等計測の前にする月経関連、身体変化時期の情報の表示画面を例示する図である。
【図１３】歩数等計測の前にする目標情報、健康関連の情報の表示画面を例示する図である。
【図１４】歩数、運動消費エネルギー、運動脂肪燃焼量の表示画面を例示する図である。
【図１５】目標歩数、実歩数、アドバイスの情報の表示画面を例示する図である。
【図１６】身体消費のグラフでの履歴情報の表示画面を例示する図である。
【図１７】月経日、月経周期日数の履歴情報の表示画面を例示する図である。
【図１８】将来の月経開始の予測期間の情報の表示画面を例示する図である。
【図１９】女性の生理的な身体変化時期を考慮した身体消費情報の表示画面を例示する図である。
【図２０】演算式における年令性別係数を示す表１を示す図である。
【図２１】月経からの日数と身体変化時期との関係を示す表２を示す図である。
【図２２】一歩当りの時間とカロリー定数との関係を示す表１を示す図である。
【符号の説明】
【００７４】
１  コード
１０  ケース本体
１１  表示部
１２  開始ボタン
１３  アップボタン
１４  ダウンボタン
１５  設定ボタン
１６  切替ボタン
１７  入力部
２０  脈拍計測部
３０  ピッチ誘導音発生部
３１  電源部
３２  歩数計測部
３３  目標情報演算部
３４  身体消費情報演算部
３５  一般情報演算部
３６  記憶部
３７  計時部
３８  制御部
【図１】
2005058614.tif 000004
【図２】
2005058614.tif 000005
【図３】
2005058614.tif 000006
【図４】
2005058614.tif 000007
【図５】
2005058614.tif 000008
【図６】
2005058614.tif 000009
【図７】
2005058614.tif 000010
【図８】
2005058614.tif 000011
【図９】
2005058614.tif 000012
【図１０】
2005058614.tif 000013
【図１１】
2005058614.tif 000014
【図１２】
2005058614.tif 000015
【図１３】
2005058614.tif 000016
【図１４】
2005058614.tif 000017
【図１５】
2005058614.tif 000018
【図１６】
2005058614.tif 000019
【図１７】
2005058614.tif 000020
【図１８】
2005058614.tif 000021
【図１９】
2005058614.tif 000022
【図２０】
2005058614.tif 000023
【図２１】
2005058614.tif 000024
【図２２】
2005058614.tif 000025